(57)【要約】【課題】給紙トレイが斜めに装着された場合も、用紙詰まりなどを抑制することが可能な画像形成装置を提供する。【解決手段】この画像形成装置は、装置本体２０に脱着可能に装着される給紙トレイ１０と、給紙トレイ１０の外側面側に突出し、給紙トレイ１０を給紙トレイ装着部２２に固定するための弾性変形可能な係合部１１ｄと、用紙５０を給紙位置に移動させる用紙受け部１２とを備える。係合部１１ｄが、給紙トレイ装着部２２に押圧されて内側に弾性変形した状態で、係合部１１ｄが、用紙受け部１２の上面上に位置し、用紙受け部１２は、係合部１１ｄの近傍にまで延びる延長部１２ｃを含み、給紙トレイ装着部２２には、センサ部２６が設けられており、給紙トレイ装着部２２は、係合部１１ｄが係合する給紙トレイ係合部２２ｃを含むように構成されている。【選択図】図２０
2007126263.tif 000002
【特許請求の範囲】
【請求項１】
装置本体の給紙トレイ装着部に脱着可能に装着される給紙トレイと、前記給紙トレイの外側面側に突出するように、前記給紙トレイに一体的に設けられ、前記給紙トレイを前記装置本体の給紙トレイ装着部に固定するための弾性変形可能な係合部と、前記給紙トレイに取り付けられ、前記給紙トレイに収納された用紙の下面を支持するとともに、前記用紙を上昇させて給紙位置に移動させる用紙受け部とを備えた画像形成装置において、
前記用紙受け部は、前記用紙トレイの係合部の近傍にまで延びる延長部を一体的に含み、
前記給紙トレイの係合部が前記装置本体の給紙トレイ装着部に押圧されて内側に弾性変形した状態で、前記係合部が、前記用紙受け部の延長部の上面上に位置するように構成され、
前記装置本体の給紙トレイ装着部には、前記給紙トレイの前面の一方端部側に対応する領域に、前記給紙トレイが前記装置本体の給紙トレイ装着部に装着されたことを検知するセンサ部が設けられており、
前記用紙受け部の延長部は、前記給紙トレイの前面の他方端部側に位置する前記係合部の近傍にまで延びるように配置されており、
前記装置本体の給紙トレイ装着部は、前記給紙トレイの係合部が係合する凹状の給紙トレイ係合部を含む、画像形成装置。
【請求項２】
装置本体の給紙トレイ装着部に脱着可能に装着される給紙トレイと、
前記給紙トレイの外側面側に突出するように、前記給紙トレイに一体的に設けられ、前記給紙トレイを前記装置本体の給紙トレイ装着部に固定するための弾性変形可能な係合部と、
前記給紙トレイに取り付けられ、前記給紙トレイに収納された用紙の下面を支持するとともに、前記用紙を上昇させて給紙位置に移動させる用紙受け部とを備え、
前記給紙トレイの係合部が前記装置本体の給紙トレイ装着部に押圧されて内側に弾性変形した状態で前記係合部が、前記用紙受け部の上面上に位置するように構成されている、画像形成装置。
【請求項３】
前記用紙受け部は、前記用紙トレイの係合部の近傍にまで延びる延長部を一体的に含む、請求項２に記載の画像形成装置。
【請求項４】
前記装置本体の給紙トレイ装着部には、前記給紙トレイの前面の一方端部側に対応する領域に、前記給紙トレイが前記装置本体の給紙トレイ装着部に装着されたことを検知するセンサ部が設けられており、
前記用紙受け部の延長部は、前記給紙トレイの前面の他方端部側に位置する前記係合部の近傍にまで延びるように配置されている、請求項３に記載の画像形成装置。
【請求項５】
前記給紙トレイの係合部は、前記給紙トレイの外側側面に突出するとともに、前記装置本体の給紙トレイ装着部に係合する外側係合部分と、前記給紙トレイの内側面側に突出するとともに、前記用紙受け部の近傍にまで延びる内側当接部分とを含む、請求項２〜４のいずれか１項に記載の画像形成装置。
【請求項６】
前記装置本体の給紙トレイ装着部は、前記給紙トレイの係合部の外側係合部分が係合する凹状の給紙トレイ係合部を含む、請求項２〜５のいずれか１項に記載の画像形成装置。
【発明の詳細な説明】
【技術分野】
【０００１】
この発明は、画像形成装置に関し、特に、装置本体に脱着可能に装着される給紙トレイを備えた画像形成装置に関する。
【背景技術】
【０００２】
従来、装置本体に脱着可能に装着される給紙トレイを備えた画像形成装置が知られている（たとえば、特許文献１〜３参照）。
【０００３】
上記特許文献１に開示されている装置においては、装置本体に脱着可能に装着される給紙トレイの中央部上面に突起部を設けるとともに、装置本体には弾性体である板バネを設けることにより、給紙トレイの装着時において、給紙トレイの突起部と装置本体の板バネとが係合する。それによって、給紙トレイは装置本体に押圧されるとともに固定され、その結果、給紙トレイが斜めに装着されることを抑制する構造の画像形成装置が開示されている。
【０００４】
また、上記特許文献２には、ペーパーホルダー（給紙トレイ）が装置本体に脱着可能に装着されるとともに、装置本体にペーパーホルダーのサイドガイドを有する構造において、ペーパーホルダーの側面に凹部を設けるとともに、サイドガイドに凸部を設けることによって、ペーパーホルダーを、サイドガイドに対して給紙方向に位置決めする画像形成装置が開示されている。
【０００５】
また、上記特許文献３には、画像形成装置に脱着可能に装着されるシートパック(給紙トレイ)の側面に、装置本体にシートパックを装着するときの一対の装着溝と、シートパックに収納した用紙を装置本体の給送ローラに付勢するための押し上げ板と、収納した用紙を片寄せするための片寄せバネとを設けたシートパックが開示されている。
【０００６】
【特許文献１】特開２００４−２６２６０７号公報
【特許文献２】実開昭６０−１４８７４７号公報
【特許文献３】特開２００４−８３１７５号公報
【発明の開示】
【発明が解決しようとする課題】
【０００７】
しかしながら、上記特許文献１に記載された構造では、給紙トレイの中央部上面に１つ設けられた突起部を装置本体の板バネにより押圧することにより固定する構造であるため、給紙トレイは装置本体に対して給紙トレイの中央部上面の１個所のみで固定されている。このため、給紙トレイが斜めに装着されるのを完全に防止するのは困難であり、給紙トレイが斜めに装着される場合がある。その場合に給紙が行われると、用紙が斜めの状態で搬送されるので、装置本体内部で紙詰まりなどを起こすという問題点がある。
【０００８】
また、上記特許文献２に記載された構造では、サイドガイドが移動するのを抑制する機構がないため、サイドガイドとペーパーホルダー(給紙トレイ)の係合が不安定になるという不都合がある。このため、この係合が外れた場合には、ペーパーホルダーが装置本体に対して斜めに配置される場合がある。その場合に給紙が行われると、用紙が斜めの状態で搬送されるので、装置本体内部で紙詰まりなどを起こすという問題点がある。
【０００９】
また、上記特許文献３に記載の構造では、シートパック（給紙トレイ）を装置本体に対して位置決めするためにシートパックに一対の溝部が設けられている一方、その一対の溝部の一方のみが装置本体に係合する場合がある。その場合には、シートパックが装置本体に対して斜めに装着されるという不都合がある。その場合に給紙が行われると、用紙が斜めの状態で搬送されるので、装置本体内部で紙詰まりなどを起こすという問題点がある。
【００１０】
この発明は、上記のような課題を解決するためになされたものであり、この発明の１つの目的は、給紙トレイが斜めに装着された場合にも、用紙詰まりなどを抑制することが可能な画像形成装置を提供することである。
【課題を解決するための手段】
【００１１】
この発明の第１の局面による画像形成装置は、装置本体の給紙トレイ装着部に脱着可能に装着される給紙トレイと、給紙トレイの外側面側に突出するように、給紙トレイに一体的に設けられ、給紙トレイを装置本体の給紙トレイ装着部に固定するための弾性変形可能な係合部と、給紙トレイに取り付けられ、給紙トレイに収納された用紙の下面を支持するとともに、用紙を上昇させて給紙位置に移動させる用紙受け部とを備えた画像形成装置において、用紙受け部は、用紙トレイの係合部の近傍にまで延びる延長部を一体的に含み、給紙トレイの係合部が装置本体の給紙トレイ装着部に押圧されて内側に弾性変形した状態で、係合部が、用紙受け部の延長部の上面上に位置するように構成され、装置本体の給紙トレイ装着部には、給紙トレイの前面の一方端部側に対応する領域に、給紙トレイが装置本体の給紙トレイ装着部に装着されたことを検知するセンサ部が設けられており、用紙受け部の延長部は、給紙トレイの前面の他方端部側に位置する係合部の近傍にまで延びるように配置されており、装置本体の給紙トレイ装着部は、給紙トレイの係合部が係合する凹状の給紙トレイ係合部を含む。
【００１２】
この第１の局面による画像形成装置では、上記のように、装置本体の給紙トレイ装着部に脱着可能に装着される給紙トレイと、給紙トレイの外側側面に突出するように、給紙トレイを装置本体の給紙トレイ装着部に固定するための係合部を設けるとともに、給紙トレイに収納された用紙を上昇させて給紙位置に移動させる用紙受け部を設け、かつ、給紙トレイの係合部が装置本体の給紙トレイ装着部に押圧されて内側に弾性変形した状態で、給紙トレイの係合部が用紙受け部の上面上に位置するように構成することによって、給紙トレイが斜めに装着された場合に、給紙動作の開始時に、用紙受け部が上方向へ移動する際に、用紙受け部と内側に弾性変形した係合部とが当接するので、用紙受け部の上昇動作を停止させることができる。これにより、用紙が給紙ローラに当接するのを抑制することができるので、給紙が行われないようにすることができる。その結果、紙詰まりなどを抑制することができる。また、用紙受け部は、用紙トレイの係合部の近傍にまで延びる延長部を一体的に含むように構成することによって、部品点数を増加させることなく、給紙トレイが装置本体に対して斜めに装着された場合に、給紙トレイの係合部を用紙受け部の延長部の上面上に位置させることができる。また、装置本体の給紙トレイ装着部には、給紙トレイの前面の一方端部側に対応する領域に、給紙トレイが装置本体の給紙トレイ装着部に装着されたことを検知するセンサ部を設けるとともに、用紙受け部の延長部を、給紙トレイの前面の他方端部側に位置する係合部の近傍にまで延びるように配置することによって、給紙トレイがセンサ部側に傾いた状態で斜めに装着された場合には、センサ部により給紙トレイの装着が検知されて給紙動作が開始される一方、センサ部とは反対の他方端部側において、給紙トレイの係合部が給紙トレイの内側へ弾性変形するので、給紙動作の開始により用紙受け部が上昇されたとしても、その他方端部側で用紙受け部と係合部とが当接されて、給紙動作を停止させることができる。また、給紙トレイがセンサ部側と反対に傾いた状態で斜めに装着された場合に、給紙トレイがセンサ部の検知範囲に存在しないため、センサ部は給紙トレイの装着を検知せず、その結果、給紙動作を開始させないようにすることができる。また、装置本体の給紙トレイ装着部を、給紙トレイの係合部の外側係合部分が係合する凹状の給紙トレイ係合部を含むように構成することによって、正常に給紙トレイが装着された場合には、給紙トレイの係合部の外側係合部と装置本体の給紙トレイ係合部とが係合されるので、給紙トレイの係合部を、給紙トレイの内側に弾性変形しないようにすることができる。その一方、給紙トレイが斜めに装着された場合には、給紙トレイの係合部の外側係合部は、装置本体の給紙トレイ係合部と位置がずれるために係合されずに装置本体の内側側面に当接されるので、係合部を、容易に給紙トレイの内側に弾性変形させて、用紙受け部の上面上に位置させることができる。
【００１３】
この発明の第２の局面による画像形成装置は、装置本体の給紙トレイ装着部に脱着可能に装着される給紙トレイと、給紙トレイの外側面側に突出するように、給紙トレイに一体的に設けられ、給紙トレイを装置本体の給紙トレイ装着部に固定するための弾性変形可能な係合部と、給紙トレイに取り付けられ、給紙トレイに収納された用紙の下面を支持するとともに、用紙を上昇させて給紙位置に移動させる用紙受け部とを備え、給紙トレイの係合部が装置本体の給紙トレイ装着部に押圧されて内側に弾性変形した状態で、係合部が用紙受け部の上面上に位置するように構成されている。
【００１４】
この第２の局面による画像形成装置では、上記のように、装置本体の給紙トレイ装着部に脱着可能に装着される給紙トレイと、給紙トレイの外側側面に突出するように、給紙トレイを装置本体の給紙トレイ装着部に固定するための係合部を設けるとともに、給紙トレイに収納されて用紙を上昇させて給紙位置に移動させる用紙受け部を設け、かつ、給紙トレイの係合部が装置本体の給紙トレイ装着部に押圧されて内側に弾性変形した状態で、給紙トレイの係合部が用紙受け部の上面上に位置するように構成することによって、給紙トレイが斜めに装着された場合に、給紙動作の開始時に、用紙受け部が上方向へ移動する際に、用紙受け部と内側に弾性変形した係合部とが当接するので、用紙受け部の上昇動作を停止させることができる。これにより、用紙が給紙ローラに当接するのを抑制することができるので、給紙が行われないようにすることができる。その結果、紙詰まりなどを抑制することができる。
【００１５】
上記第２の局面による画像形成装置において、好ましくは、用紙受け部は、用紙トレイの係合部の近傍にまで延びる延長部を一体的に含むように構成されている。このように構成すれば、部品点数を増加させることなく、給紙トレイが装置本体に対して斜めに装着された場合に、給紙トレイの係合部を用紙受け部の延長部の上面上に位置させることができる。
【００１６】
上記第２の局面による画像形成装置において、好ましくは、装置本体の給紙トレイ装着部には、給紙トレイの前面の一方端部側に対応する領域に、給紙トレイが装置本体の給紙トレイ装着部に装着されたことを検知するセンサ部が設けられており、  用紙受け部の延長部は、給紙トレイの前面の他方端部側に位置する係合部の近傍にまで延びるように配置されている。このように構成すれば、給紙トレイがセンサ部側に傾いた状態で斜めに装着された場合には、センサ部により給紙トレイの装着が検知されて給紙動作が開始される一方、センサ部とは反対の他方端部側において、給紙トレイの係合部が給紙トレイの内側へ弾性変形するので、給紙動作の開始により用紙受け部が上昇されたとしても、その他方端部側で用紙受け部と係合部とが当接されて、給紙動作を停止させることができる。また、給紙トレイがセンサ部側と反対に傾いた状態で斜めに装着された場合に、給紙トレイがセンサ部の検知範囲に存在しないため、センサ部は給紙トレイの装着を検知せず、その結果、給紙動作を開始させないようにすることができる。
【００１７】
上記第２の局面による画像形成装置において、好ましくは、給紙トレイの係合部は、給紙トレイの外側側面に突出するとともに、装置本体の給紙トレイ装着部に係合する外側係合部分と、給紙トレイの内側面側に突出するとともに、用紙受け部の近傍にまで延びる内側当接部分とを含む。このように構成すれば、給紙トレイが装置本体に対して、斜めに装着された場合に、部品点数を増加させることなく、給紙トレイの係合部の内側当接部分を用紙受け部の延長部の上面上に位置させることができる。
【００１８】
上記第２の局面による画像形成装置において、好ましくは、装置本体の給紙トレイ装着部は、給紙トレイの係合部の外側係合部分が係合する凹状の給紙トレイ係合部を含む。このように構成すれば、正常に給紙トレイが装着された場合には、給紙トレイの係合部の外側係合部と装置本体の給紙トレイ係合部とが係合されるので、給紙トレイの係合部を、給紙トレイの内側に弾性変形しないようにすることができる。その一方、給紙トレイが斜めに装着された場合には、給紙トレイの係合部の外側係合部は、装置本体の給紙トレイ係合部と位置がずれるために係合されずに装置本体の内側側面に当接されるので、係合部を、容易に給紙トレイの内側に弾性変形させて、用紙受け部の上面上に位置させることができる。
【発明を実施するための最良の形態】
【００１９】
以下、本発明の実施形態を図面に基づいて説明する。
【００２０】
図１および図２は、本発明の一実施形態による熱転写プリンタと、給紙トレイとの対応関係を示した斜視図である。図３〜図６は、本発明の一実施形態による給紙トレイの構造の詳細を示した図である。図７〜図１１は、一実施形態による熱転写プリンタに、給紙トレイを装着した時の詳細を示す図である。図１２および図１３は、給紙動作時において、用紙を給紙ローラに押圧させるための押上げ部材の構造を示した斜視図である。まず、図１〜図１３を参照して、本発明の一実施形態による装置本体２０と給紙トレイ１０との構造について説明する。なお、本実施形態では、本発明の画像形成装置の一例として熱転写プリンタについて説明する。
【００２１】
本実施形態による給紙トレイ１０は、図１および図２に示すように、装置本体２０に脱着可能に装着することが可能なように構成されている。
【００２２】
給紙トレイ１０は、図３〜図６に示すように、トレイ本体１１と、用紙受け部１２と、用紙５０（図１６参照）に埃などが付着するのを抑制するための蓋部材１３（図３参照）とを備えている。また、トレイ本体１１は、用紙受け部装着部１１ａと、後述する用紙分離壁２２ｂのための切り欠き部１１ｂと、後述する押し上げ部材２３のための切り欠き部１１ｃと、給紙トレイ１０の装着時に装置本体２０と係合する弾性変形可能な一対の係合部１１ｄと、用紙５０（図１６参照）の位置を揃えるための２つの凸部１１ｅと、凸部１１ｅに用紙を付勢するための用紙付勢部１１ｆと、蓋部材１３の装着時のガイド部１１ｇと、用紙５０（図１６参照）を支持するための給紙方向に延びる３つのリブ１１ｈとを有する。また、係合部１１ｄは、給紙トレイ１０のトレイ本体１１の外側側面に突出する外側係合部分を有するように給紙トレイ１０のトレイ本体１１に一体的に設けられている。
【００２３】
ここで、本実施形態では、用紙受け部１２は、トレイ本体１１に装着するためのトレイ装着部１２ａと、用紙分離壁２２ｂを受け入れるための凹部１２ｂと、延長部１２ｃとを有する。この延長部１２ｃは、給紙トレイ１０の後述するセンサ部２６とは反対側に位置する係合部１１ｄの近傍にまで延びており、用紙受け部１２と一体的に形成されている。また、給紙トレイ１０が装置本体２０に対して斜めに装着された場合には、給紙トレイ１０の係合部１１ｄは、装置本体２０に押圧されることにより、内側に弾性変形し、用紙受け部１２の延長部１２ｃの上面上に位置するように構成されている。
【００２４】
なお、蓋部材１３はトレイ本体１１に装着するときに係合部１１ｄと係合するトレイ本体係合部１３ａを有する。
【００２５】
また、本実施形態による装置本体２０は、図１および図２に示すように、金属製のシャーシ２１と、給紙トレイ装着部２２と、用紙５０（図１６参照）が載置された用紙受け部１２を上方に押し上げて、用紙５０を給紙ローラ２４に押圧させる用紙押し上げ部材２３と、用紙５０をプリンタ内部へ搬送するためのゴム製の給紙ローラ２４と、給紙ローラギア２５と、給紙トレイ１０が装置本体に装着されたことを検知するセンサ部２６と、給紙ローラ２４などを駆動するためのモータ２７と、用紙５０に画像を印字するための印字ヘッド２８と、印字ヘッド２８および用紙押し上げ部材２３を駆動するためのモータ２９と、モータ２７およびモータ２９を取り付けるためのモータブラケット３０と、インクシート（図示せず）が内蔵されたインクシートカートリッジ３１と、インクシートを巻き取るための巻き取りリール３２と、揺動可能な揺動ギア３３と、給紙ローラギア２５にモータ２７の駆動力を伝えるための中間ギア３４と、ゴム製の排紙ローラ３５と、排紙ローラギア３６とを有する。
【００２６】
また、本実施形態による装置本体２０は、図１２および図１３に示すように、用紙押上げ部材２３を駆動するためのカム溝３７ａを備えた駆動ギア３７（図１３参照）と、モータ２９の駆動力を駆動ギア３７に伝えるための中間ギア３８と、印字ヘッド２８に対向するように配置されたプラテンローラ３９（図１３参照）とを有する。プラテンローラ３９は、図１３に示すように、シャーシ２１の両側面に取り付けられたプラテンローラ軸受３９ａに回転可能に支持されている。
【００２７】
また、シャーシ２１は、図１、図２、図１２および図１３に示すように、モータブラケット３０が取り付けられる一方側面２１ａと、他方側面２１ｂと、一方側面２１ａと他方側面２１ｂとを連結する底面２１ｃとを有する。また、シャーシ２１の他方側面２１ｂには、インクシート（図示せず）が内蔵されたインクシートカートリッジ３１を取り付けるためのインクシートカートリッジ挿入孔２１ｄが設けられている。また、プラテンローラ軸受取付孔２１ｅ（図１２参照）には、プラテンローラ３９の両端部を回転可能に支持するプラテンローラ軸受３９ａ（図１３参照）が取り付けられている。また、給紙ローラ軸受取付孔２１ｆ（図１２参照）には、給紙ローラ２４の両端部を回転可能に支持する給紙ローラ軸受２４ａ（図１３参照）が取り付けられている。また、シャーシ２１の底面２１ｃには、図１２に示すように、押し上げ部材２３の回動軸部２３ａが嵌め込まれる嵌合孔２１ｇが設けられている。
【００２８】
また、給紙トレイ装着部２２は、給紙トレイ１０を装置本体２０に装着するときの一対のガイド部２２ａと、用紙５０の二重送りを防止するための一対の用紙分離壁２２ｂと、給紙トレイ１０を装置本体２０に装着したときに給紙トレイ１０のトレイ本体１１の一対の係合部１１ｄと係合する一対の給紙トレイ係合部２２ｃとを有する。また、押し上げ部材２３には、図１２に示すように、２つの回動軸部２３ａと、駆動ギア３７のカム溝３７ａに係合するカム係合部２３ｂと、用紙受け部１２を上方に押圧する押圧部２３ｃと、プラテンローラ軸受３９ａに挿入される挿入孔２３ｄとが設けられている。また、押し上げ部材２３の挿入孔２３ｄは、図１３に示すように、押し上げ部材２３が回動する際に、プラテンローラ軸受３９ａに当接しないようにプラテンローラ軸受３９ａの外径よりも大きな内径を有する。また、給紙ローラ２４は、シャーシ２１の一方側面２１ａおよび他方２１ｂに取り付けられた給紙ローラ軸受２４ａに回転可能に支持されている。また、給紙ローラ２４の一方端には、給紙ローラギア２５が取り付けられており、給紙ローラギア２５の回転に伴い給紙ローラ２４も回転する。
【００２９】
ここで、本実施形態では、図１に示すように、センサ部２６は、給紙トレイ装着部２２の一方端近傍に配置されている。また、センサ部２６は、突起部２６ａを有する。給紙トレイ１０が装置本体２０に装着された状態で、突起部２６ａが給紙トレイ１０によって押し込まれることによって、センサ部２６は給紙トレイ１０が装着されたと認識する。
【００３０】
図１４〜図２０は、本実施形態による熱転写プリンタの動作を説明するための図である。図２および図７〜図２０を参照して、本発明による熱転写プリンタの給紙動作について説明する。
【００３１】
まず、給紙トレイ１０を装置本体２０の給紙トレイ装着部２２に装着する。図７および図８には、給紙トレイ１０が、装置本体２０の給紙トレイ装着部２２に正常に挿入された場合が示されている。この場合、給紙トレイ１０の左右一対の係合部１１ｄと、装置本体２０の左右一対の給紙トレイ係合部２２ｃとが左右両側共係合しており、係合部１１ｄは弾性変形していない。また、センサ部２６の突起部２６ａが給紙トレイ１０により押し込まれており、この状態でセンサ部２６は給紙トレイ１０が装着されたことを認識する。これに対して、図９および図１０には、給紙トレイ１０が、センサ部２６側に傾いた状態で斜めに装着された場合が示されている。この場合、センサ部２６側の給紙トレイ１０の係合部１１ｄと装置本体２０の給紙トレイ係合部２２ｃとは係合している。その一方、センサ部２６とは反対側では、係合部１１ｄと給紙トレイ係合部２２ｃとの位置がずれて係合しておらず、係合部１１ｄは、ガイド部２２ａの内側面により押圧されて、内側に弾性変形した状態である。この状態でも、センサ部２６の突起部２６ａは給紙トレイ１０によって押し込まれており、センサ部２６は給紙トレイ１０が装着されたと認識する。また、図１１には、給紙トレイ１０が、センサ部２６と反対側に傾いた状態で斜めに装着された場合が示されている。この場合、センサ部２６の突起部２６ａは給紙トレイ１０に接触されておらず、センサ部２６は、給紙トレイ１０が装着されていないと認識する。従って、この場合に、給紙動作は行われない。
【００３２】
また、図７、図８および図１５に示すように、装置本体２０の給紙トレイ装着部２２に給紙トレイ１０が、正常に装着された場合には、図１６に示す状態になる。そしてこの状態でモータ２９(図１４参照)が駆動する。モータ２９の駆動力は、中間ギア３８（図１３参照）を介して駆動ギア３７を回転させる。駆動ギア３７の回転は、駆動ギア３７のカム３７ａと押し上げ部材２３のカム係合部２３ｂ（図１２参照）とにより押し上げ部材２３に揺動力として伝わる。これにより、押し上げ部材２３は、図１７に示すように、回動軸部２３ａを中心に図１７に示すＢ方向（上方）へ回動される。押し上げ部材２３の押圧部２３ｃは、給紙トレイ１０の装着時には、用紙受け部１２の下方に位置するので、押し上げ部材２３が上方へ回動することにより、用紙受け部１２も、トレイ装着部１２ａを中心に図１７に示すＣ方向に回動する。これによって、用紙受け部１２に載置された用紙５０が上方に押し上げられる。
【００３３】
また、このとき、モータ２７（図１４参照）も駆動しており、モータ２７の駆動力は、中間ギア３４を介して給紙ローラギア２５を図１４のＡ方向に回転させる。これによって、給紙ローラ２４は図１７に示すＡ方向に回転される。
【００３４】
上記押し上げられた用紙５０は、図１７に示すように、Ａ方向に回転している給紙ローラ２４に押圧される。そして、給紙ローラ２４と用紙５０との摩擦力により、用紙５０は、装置本体２０の内部へ搬送される。
【００３５】
ここで、本実施形態による装置本体２０では、図９、図１０および図１８に示すように、給紙トレイ１０が装置本体２０の給紙トレイ装着部２２にセンサ部２６側に傾いて、斜めに装着された場合には、給紙トレイ１０の内側に弾性変形した係合部１１ｄが、図２０に示すように、押し上げ部材２３に押し上げられた用紙受け部１２の延長部１２ｃと接触するため、用紙受け部１２の動きが停止する。そのため、図１９に示すように、用紙５０は、給紙ローラ２４に接触せず、給紙されない。
【００３６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３７】
たとえば、上記実施形態では、本発明の画像形成装置の一例として熱転写プリンタを示したが、本発明はこれに限らず、装置本体に脱着可能に装着される給紙トレイを備えた画像形成装置であれば、熱転写プリンタ以外のインクジェットプリンタやレーザプリンタなどの他の画像形成装置にも適用可能である。
【００３８】
また、上記実施形態では、用紙受け部１２を延長させることにより、係合部１１ｄが弾性変形した状態で、係合部１１ｄが用紙受け部１２の延長部の上面上に位置する例を示したが、本発明はこれに限らず、図２１および図２２に示した第１変形例のように、用紙受け部１２を延長させずに、係合部１１ｄに、給紙トレイ１０の内側に突出する内側当接部分１１ｉを一体的に設けるようにしてもよい。これにより、給紙トレイ１０が装置本体２０に対してセンサ部２６側に傾いて斜めに装着された状態で、内側当接部分１１ｉを内側に弾性変形して、用紙受け部１２の上面上に位置させることができる。また、図２３および図２４に示す第２変形例のように、用紙受け部１２を延長し、かつ、係合部１１ｄに、給紙トレイ１０の内側に突出する内側当接部分１１ｊを一体的に設けるようにしてもよい。これによっても、給紙トレイ１０が装置本体２０に対してセンサ部２６側に傾いて斜めに装着された状態で、内側当接部分１１ｊを内側に弾性変形して、用紙受け部１２の延長部１２ｄの上面上に位置させることができる。
【図面の簡単な説明】
【００３９】
【図１】本発明の一実施形態による熱転写プリンタと、給紙トレイとの対応関係を示す斜視図である。
【図２】本発明の一実施形態による熱転写プリンタに給紙トレイが装着された状態の斜視図である。
【図３】本発明の一実施形態による給紙トレイの分解斜視図である。
【図４】本発明の一実施形態による給紙トレイの平面図である。
【図５】本発明の一実施形態による給紙トレイの側面図である。
【図６】図５に示した１００−１００線に沿った図４の係合部周辺の拡大断面図である。
【図７】本発明の一実施形態による給紙トレイが装置本体に正常に装着された場合を示す平面図である。
【図８】図７の係合部周辺の拡大図である。
【図９】本発明の一実施形態による給紙トレイがセンサ部側に傾いた状態で、装置本体に斜め装着された場合を示す平面図である。
【図１０】図９の係合部周辺の拡大図である。
【図１１】本発明の一実施形態による給紙トレイがセンサ部と反対側に傾いた状態で、装置本体に斜め装着された場合を示す平面図である。
【図１２】本発明の一実施形態による熱転写プリンタの内部構造を示す斜視図である。
【図１３】本発明の一実施形態による熱転写プリンタの内部構造を示す斜視図である。
【図１４】ギアの動作を説明するための図である。
【図１５】本発明の一実施形態による給紙トレイに用紙を載置した場合の図7に対応する平面図である。
【図１６】図１３に示した２００−２００線に沿った本発明の一実施形態による熱転写プリンタの給紙動作の初期状態を示す断面図である。
【図１７】図１３に示した２００−２００線に沿った本発明の一実施形態による熱転写プリンタの、給紙トレイが装置本体に正常に装着された場合の給紙動作を説明するための断面図である。
【図１８】本発明の一実施形態による給紙トレイに用紙を載置した場合の図９に対応する平面図である。
【図１９】図１３に示した２００−２００線に沿った本発明の一実施形態による熱転写プリンタの、給紙トレイがセンサ部側に傾いた状態で、装置本体に斜め装着された場合の給紙動作を説明するための断面図である。
【図２０】本発明の一実施形態による熱転写プリンタの押し上げ部材の詳細を説明するための斜視図である。
【図２１】本発明の第１変形例による熱転写プリンタの給紙トレイを示す図である。
【図２２】図２１の係合部周辺の拡大図である。
【図２３】本発明の第２変形例による熱転写プリンタの給紙トレイを示す図である。
【図２４】図２３の係合部周辺の拡大図である。
【符号の説明】
【００４０】
１０      給紙トレイ
１１ｄ    係合部
１２      用紙受け部
１２ｃ    延長部
２０      装置本体
２２      給紙トレイ装着部
２２ｃ    給紙トレイ係合部
２６      センサ部
５０      用紙
【図１】
2007126263.tif 000003
【図２】
2007126263.tif 000004
【図３】
2007126263.tif 000005
【図４】
2007126263.tif 000006
【図５】
2007126263.tif 000007
【図６】
2007126263.tif 000008
【図７】
2007126263.tif 000009
【図８】
2007126263.tif 000010
【図９】
2007126263.tif 000011
【図１０】
2007126263.tif 000012
【図１１】
2007126263.tif 000013
【図１２】
2007126263.tif 000014
【図１３】
2007126263.tif 000015
【図１４】
2007126263.tif 000016
【図１５】
2007126263.tif 000017
【図１６】
2007126263.tif 000018
【図１７】
2007126263.tif 000019
【図１８】
2007126263.tif 000020
【図１９】
2007126263.tif 000021
【図２０】
2007126263.tif 000022
【図２１】
2007126263.tif 000023
【図２２】
2007126263.tif 000024
【図２３】
2007126263.tif 000025
【図２４】
2007126263.tif 000026